(57)【要約】【課題】無線端末装置の通信エリアを拡大するために無線基地局装置を増設するときに、干渉を回避するために広帯域モードから狭帯域モードへの切り替えを自動的に行う。【解決手段】既存および新規の無線基地局装置に接続され、通信中の無線基地局装置と無線端末装置の接続関係を管理する遠隔制御装置を備え、新規の無線基地局装置は、既存の無線端末装置が送信する信号をモニタし、その無線端末ＩＤを検出して遠隔制御装置に通知する手段を備え、遠隔制御装置は、新規の無線基地局装置から通知された無線端末ＩＤに基づいて広帯域モードで互いに干渉となると判断したときに、広帯域モードから互いに周波数帯域が重ならない狭帯域モードに変更するモード変更指示を、既存の無線基地局装置および新規の無線基地局装置に対して通知する手段を備え、既存の無線基地局装置および新規の無線基地局装置は狭帯域モードに変更／設定する。【選択図】  図１
2014209688.tif 000002
【特許請求の範囲】
【請求項１】
所定の周波数帯域幅および中心周波数で通信中の既存の無線基地局装置と既存の無線端末装置に対して、当該既存の無線基地局装置の通信エリアに隣接する位置に新規の無線基地局装置を増設するときに干渉となる場合に、当該所定の周波数帯域幅の広帯域モードから相対的に狭い周波数帯域幅の狭帯域モードに変更する無線通信システムにおいて、
前記既存の無線基地局装置および前記新規の無線基地局装置に接続され、通信中の前記無線基地局装置と前記無線端末装置の接続関係を管理する遠隔制御装置を備え、
前記新規の無線基地局装置は、前記既存の無線端末装置が送信する信号をモニタし、その無線端末ＩＤを検出して前記遠隔制御装置に通知する手段を備え、
前記遠隔制御装置は、前記新規の無線基地局装置から通知された前記無線端末ＩＤに基づいて、前記既存の無線基地局装置の通信と前記新規の無線基地局装置の通信が前記広帯域モードで互いに干渉となると判断したときに、前記広帯域モードから互いに周波数帯域が重ならない狭帯域モードに変更するモード変更指示を、前記既存の無線基地局装置および前記新規の無線基地局装置に対して通知する手段を備え、
前記既存の無線基地局装置は、前記遠隔制御装置から通知された前記モード変更指示に応じて前記広帯域モードから前記狭帯域モードに変更し、前記新規の無線基地局装置は、前記遠隔制御装置から通知された前記モード変更指示に応じて前記狭帯域モードに設定する構成である
ことを特徴とする無線通信システム。
【請求項２】
請求項１に記載の無線通信システムにおいて、
前記無線基地局装置は、無線基地局ＩＤと通信中の前記無線端末装置の無線端末ＩＤを前記遠隔制御装置に通知する手段を備え、
前記遠隔制御装置は、前記無線基地局装置から通知された無線基地局ＩＤと無線端末ＩＤにより接続関係を管理し、前記新規の無線基地局装置から通知された無線端末ＩＤが管理中のものと一致する場合に、前記既存の無線基地局装置の通信と前記新規の無線基地局装置の通信が前記広帯域モードで互いに干渉となると判断する構成である
ことを特徴とする無線通信システム。
【請求項３】
所定の周波数帯域幅および中心周波数で通信中の既存の無線基地局装置と既存の無線端末装置に対して、当該既存の無線基地局装置の通信エリアに隣接する位置に新規の無線基地局装置を増設するときに干渉となる場合に、当該所定の周波数帯域幅の広帯域モードから相対的に狭い周波数帯域幅の狭帯域モードに変更する無線通信方法において、
前記既存の無線基地局装置および前記新規の無線基地局装置に接続され、通信中の前記無線基地局装置と前記無線端末装置の接続関係を管理する遠隔制御装置を備え、
前記新規の無線基地局装置は、前記既存の無線端末装置が送信する信号をモニタし、その無線端末ＩＤを検出して前記遠隔制御装置に通知し、
前記遠隔制御装置は、前記新規の無線基地局装置から通知された前記無線端末ＩＤに基づいて、前記既存の無線基地局装置の通信と前記新規の無線基地局装置の通信が前記広帯域モードで互いに干渉となると判断したときに、前記広帯域モードから互いに周波数帯域が重ならない狭帯域モードに変更するモード変更指示を、前記既存の無線基地局装置および前記新規の無線基地局装置に対して通知し、
前記既存の無線基地局装置は、前記遠隔制御装置から通知された前記モード変更指示に応じて前記広帯域モードから前記狭帯域モードに変更し、前記新規の無線基地局装置は、前記遠隔制御装置から通知された前記モード変更指示に応じて前記狭帯域モードに設定する
ことを特徴とする無線通信方法。
【請求項４】
請求項３に記載の無線通信方法において、
前記無線基地局装置は、無線基地局ＩＤと通信中の前記無線端末装置の無線端末ＩＤを前記遠隔制御装置に通知し、
前記遠隔制御装置は、前記無線基地局装置から通知された無線基地局ＩＤと無線端末ＩＤにより接続関係を管理し、前記新規の無線基地局装置から通知された無線端末ＩＤが管理中のものと一致する場合に、前記既存の無線基地局装置の通信と前記新規の無線基地局装置の通信が前記広帯域モードで互いに干渉となると判断する
ことを特徴とする無線通信方法。
【請求項５】
請求項１または請求項２に記載の無線通信システムの無線基地局装置において、
前記新規の無線基地局装置は、前記既存の無線端末装置が送信する信号をモニタし、その無線端末ＩＤを検出して前記遠隔制御装置に通知する手段と、前記遠隔制御装置から通知された前記モード変更指示に応じて前記狭帯域モードに設定する手段とを備え、
前記既存の無線基地局装置は、前記遠隔制御装置から通知された前記モード変更指示に応じて前記広帯域モードから前記狭帯域モードに変更する手段を備えた
ことを特徴とする無線基地局装置。
【請求項６】
請求項１または請求項２に記載の無線通信システムの遠隔制御装置において、
通信中の前記無線基地局装置と前記無線端末装置の接続関係を管理する手段と、
前記新規の無線基地局装置から通知された前記無線端末ＩＤに基づいて、前記既存の無線基地局装置の通信と前記新規の無線基地局装置の通信が前記広帯域モードで互いに干渉になるか否かを判断する手段と、
前記既存の無線基地局装置の通信と前記新規の無線基地局装置の通信が前記広帯域モードで互いに干渉になるときに、前記広帯域モードから互いに周波数帯域が重ならない狭帯域モードに変更するモード変更指示を、前記既存の無線基地局装置および前記新規の無線基地局装置に対して通知する手段と
を備えたことを特徴とする遠隔制御装置。
【請求項７】
請求項６に記載の遠隔制御装置において、
前記無線基地局装置から通知された無線基地局ＩＤと無線端末ＩＤにより接続関係を管理し、前記新規の無線基地局装置から通知された無線端末ＩＤが管理中のものと一致する場合に、前記既存の無線基地局装置の通信と前記新規の無線基地局装置の通信が前記広帯域モードで互いに干渉となると判断する構成である
ことを特徴とする遠隔制御装置。
【発明の詳細な説明】
【技術分野】
【０００１】
本発明は、無線端末装置の通信エリアを拡大するために無線基地局装置を増設するときに、干渉回避のために例えば40ＭHz帯域幅の広帯域モードから例えば20ＭHz帯域幅の狭帯域モードへの切り替えを自動的に行う無線通信システム、無線通信方法、無線基地局装置および遠隔制御装置に関する。
【背景技術】
【０００２】
無線ＬＡＮの標準規格であるＩＥＥＥ８０２．１１ｎ（非特許文献１）では、通信容量を増大するために伝送路を広帯域化する手段として、20ＭHz帯域幅を40ＭHz帯域幅に拡大するチャネル・ボンディング技術が規定されている。これは、隣接する２つの20ＭHzチャネルを結合して連続的に使用し、２つの20ＭHzチャネルの境界に位置するガードバンド内の未使用のサブキャリアも利用可能にして、実質的に２倍以上の伝送速度を実現する技術である。
【０００３】
このような無線通信システムにおいて、無線端末装置の通信エリアを拡大するために無線基地局装置の増設が検討されている。このとき、既存の無線基地局装置と新規の無線基地局装置が広帯域モードの周波数帯域で互いに干渉するときの対処方法が課題となる。
【０００４】
図４(a) に示すように、狭帯域モードと広帯域モードに対応可能な無線基地局装置と無線端末装置は、通常は広帯域モード（Ｗ）で通信が行われる。この状況において、通信エリアを拡大するために新規の無線基地局装置を増設するときに、既存の無線基地局装置（▲）と新規の無線基地局装置（△）が同一周波数の広帯域モードで通信しようとする場合、次のようなケースが考えられる。なお、既存の無線基地局装置と新規の無線基地局装置は、互いの通信エリアの外にあるものとする。
【０００５】
図４(b) は、既存の無線基地局装置（▲）と通信する既存の無線端末装置（●）と、新規の無線基地局装置（△）と通信する新規の無線端末装置（○）が、互いの通信エリアの外にあるケースである。この場合、既存の無線基地局装置と既存の無線端末装置との間の広帯域モードの通信と、新規の無線基地局装置と新規の無線端末装置との間の広帯域モードの通信は互いに干渉しないため、それぞれで広帯域モードＷの通信が可能である。
【０００６】
図４(c) は、既存の無線基地局装置（▲）と通信する既存の無線端末装置（●）が、既存の無線基地局装置と新規の無線基地局装置の通信エリアが重なる位置にあり、新規の無線基地局装置（△）と通信しようとする新規の無線端末装置（○）が、既存の無線基地局装置の通信エリアの外にあるケースである。この場合、各無線基地局装置は互いの信号を検出できないが、既存の無線端末装置は両基地局の信号を検出できる。したがって、新規の無線基地局装置が広帯域モードで通信を開始しようとすると、既存の無線基地局装置と既存の無線端末装置の広帯域モードの通信が干渉するので、何らかの制御が必要になる。
【０００７】
図４(d) は、既存の無線基地局装置（▲）と通信する既存の無線端末装置（●）は、新規の無線基地局装置（△）の通信エリアの外にあるが、新規の無線基地局装置（△）と通信しようとする新規の無線端末装置（○）が、両基地局の通信エリアが重なる位置にあるケースである。この場合、各無線基地局装置は互いの信号を検出できないが、新規の無線端末装置は両基地局の信号を検出できる。したがって、新規の無線基地局装置と新規の無線端末装置が広帯域モードで通信を開始しようとすると、既存の無線基地局装置と既存の無線端末装置の広帯域モードの通信が干渉するので、何らかの制御が必要になる。
【０００８】
図４(c),(d) における干渉を回避する制御例としては、例えば、既存の無線基地局装置と新規の無線基地局装置との間で、広帯域モードの40ＭHz帯域幅をＣＳＭＡ／ＣＡ方式により時分割利用する方法が考えられる。あるいは、新規の無線基地局装置および新規の無線端末装置をいわゆる「隠れ端末」と想定し、既存の無線端末装置または無線基地局装置がＲＴＳ／ＣＴＳ技術を用いて、データ送信前に帯域予約する方法が考えられる。
【先行技術文献】
【非特許文献】
【０００９】
【非特許文献１】IEEE Std 802.11 -2012
【発明の概要】
【発明が解決しようとする課題】
【００１０】
既存の無線基地局装置（▲）と既存の無線端末装置（●）が広帯域モードＷで通信しているときに、隣接するエリアに新規の無線基地局装置（△）を増設して新規の無線端末装置（○）と広帯域モードＷで通信しようとする場合、既存の無線端末装置（●）および新規の無線端末装置（○）の位置に応じて、図４(c),(d) に示すようなケースにおいて干渉の問題を解決する必要がある。しかし、上記のＲＴＳ／ＣＴＳ技術を用いる方法は、制御信号の増加に伴う周波数利用効率の低下を招く。また、ＣＳＭＡ／ＣＡ方式は、無線ＬＡＮシステムで利用されている方式であるため容易に採用できるが、伝送効率は必ずしもよくない。
【００１１】
また、従来の無線通信システムでは、広帯域モードから狭帯域モードに自動的に変更する手順は規定されておらず、仮に既存の無線基地局装置と新規の無線基地局装置がそれぞれ勝手に広帯域モードから狭帯域モードに変更した場合に、既存の無線端末装置が通信中であった既存の無線基地局装置を見失うとともに、狭帯域モードにおける周波数帯域が同じになれば、干渉の問題は解決しない。
【００１２】
本発明は、無線端末装置の通信エリアを拡大するために無線基地局装置を増設するときに、干渉を回避するために広帯域モードから狭帯域モードへの切り替えを自動的に行うことができる無線通信システム、無線通信方法、無線基地局装置および遠隔制御装置に関する。
【課題を解決するための手段】
【００１３】
第１の発明は、所定の周波数帯域幅および中心周波数で通信中の既存の無線基地局装置と既存の無線端末装置に対して、当該既存の無線基地局装置の通信エリアに隣接する位置に新規の無線基地局装置を増設するときに干渉となる場合に、当該所定の周波数帯域幅の広帯域モードから相対的に狭い周波数帯域幅の狭帯域モードに変更する無線通信システムにおいて、既存の無線基地局装置および新規の無線基地局装置に接続され、通信中の無線基地局装置と無線端末装置の接続関係を管理する遠隔制御装置を備え、新規の無線基地局装置は、既存の無線端末装置が送信する信号をモニタし、その無線端末ＩＤを検出して遠隔制御装置に通知する手段を備え、遠隔制御装置は、新規の無線基地局装置から通知された無線端末ＩＤに基づいて、既存の無線基地局装置の通信と新規の無線基地局装置の通信が広帯域モードで互いに干渉となると判断したときに、広帯域モードから互いに周波数帯域が重ならない狭帯域モードに変更するモード変更指示を、既存の無線基地局装置および新規の無線基地局装置に対して通知する手段を備え、既存の無線基地局装置は、遠隔制御装置から通知されたモード変更指示に応じて広帯域モードから狭帯域モードに変更し、新規の無線基地局装置は、遠隔制御装置から通知されたモード変更指示に応じて狭帯域モードに設定する構成である。
【００１４】
第１の発明の無線通信システムにおいて、無線基地局装置は、無線基地局ＩＤと通信中の無線端末装置の無線端末ＩＤを遠隔制御装置に通知する手段を備え、遠隔制御装置は、無線基地局装置から通知された無線基地局ＩＤと無線端末ＩＤにより接続関係を管理し、新規の無線基地局装置から通知された無線端末ＩＤが管理中のものと一致する場合に、既存の無線基地局装置の通信と新規の無線基地局装置の通信が広帯域モードで互いに干渉となると判断する構成である。
【００１５】
第２の発明は、所定の周波数帯域幅および中心周波数で通信中の既存の無線基地局装置と既存の無線端末装置に対して、当該既存の無線基地局装置の通信エリアに隣接する位置に新規の無線基地局装置を増設するときに干渉となる場合に、当該所定の周波数帯域幅の広帯域モードから相対的に狭い周波数帯域幅の狭帯域モードに変更する無線通信方法において、既存の無線基地局装置および新規の無線基地局装置に接続され、通信中の無線基地局装置と無線端末装置の接続関係を管理する遠隔制御装置を備え、新規の無線基地局装置は、既存の無線端末装置が送信する信号をモニタし、その無線端末ＩＤを検出して遠隔制御装置に通知し、遠隔制御装置は、新規の無線基地局装置から通知された無線端末ＩＤに基づいて、既存の無線基地局装置の通信と新規の無線基地局装置の通信が広帯域モードで互いに干渉となると判断したときに、広帯域モードから互いに周波数帯域が重ならない狭帯域モードに変更するモード変更指示を、既存の無線基地局装置および新規の無線基地局装置に対して通知し、既存の無線基地局装置は、遠隔制御装置から通知されたモード変更指示に応じて広帯域モードから狭帯域モードに変更し、新規の無線基地局装置は、遠隔制御装置から通知されたモード変更指示に応じて狭帯域モードに設定する。
【００１６】
第２の発明の無線通信方法において、無線基地局装置は、無線基地局ＩＤと通信中の無線端末装置の無線端末ＩＤを遠隔制御装置に通知し、遠隔制御装置は、無線基地局装置から通知された無線基地局ＩＤと無線端末ＩＤにより接続関係を管理し、新規の無線基地局装置から通知された無線端末ＩＤが管理中のものと一致する場合に、既存の無線基地局装置の通信と新規の無線基地局装置の通信が広帯域モードで互いに干渉となると判断する。
【００１７】
第３の発明は、第１の発明の無線通信システムの無線基地局装置において、新規の無線基地局装置は、既存の無線端末装置が送信する信号をモニタし、その無線端末ＩＤを検出して遠隔制御装置に通知する手段と、遠隔制御装置から通知されたモード変更指示に応じて狭帯域モードに設定する手段とを備え、既存の無線基地局装置は、遠隔制御装置から通知されたモード変更指示に応じて広帯域モードから狭帯域モードに変更する手段を備える。
【００１８】
第４の発明は、第１の発明の無線通信システムの遠隔制御装置において、通信中の無線基地局装置と無線端末装置の接続関係を管理する手段と、新規の無線基地局装置から通知された無線端末ＩＤに基づいて、既存の無線基地局装置の通信と新規の無線基地局装置の通信が広帯域モードで互いに干渉になるか否かを判断する手段と、既存の無線基地局装置の通信と新規の無線基地局装置の通信が広帯域モードで互いに干渉になるときに、広帯域モードから互いに周波数帯域が重ならない狭帯域モードに変更するモード変更指示を、既存の無線基地局装置および新規の無線基地局装置に対して通知する手段とを備える。
【００１９】
第４の発明の遠隔制御装置において、無線基地局装置から通知された無線基地局ＩＤと無線端末ＩＤにより接続関係を管理し、新規の無線基地局装置から通知された無線端末ＩＤが管理中のものと一致する場合に、既存の無線基地局装置の通信と新規の無線基地局装置の通信が広帯域モードで互いに干渉となると判断する構成である。
【発明の効果】
【００２０】
本発明は、広帯域モードで通信中の既存の無線基地局装置と既存の無線端末装置に対して新規の無線基地局装置を増設する場合に、広帯域モードで互いに干渉となる場合には、広帯域モードから互いに周波数帯域が重ならない狭帯域モードに変更することにより、自動的に周波数帯域を調整して新規の無線基地局装置の増設に対応することができる。
【００２１】
また、周波数分割であるため、既存の無線基地局装置と新規の無線基地局装置との間の同期は不要であり、新規の無線基地局装置の増設が容易になる。なお、新規の無線基地局装置の通信が既存の無線基地局装置の通信に干渉を与える関係にない場合は、双方で広帯域モードでの通信が可能である。
【図面の簡単な説明】
【００２２】
【図１】本発明の無線通信システムの構成例を示す図である。
【図２】本発明の無線通信システムにおけるモード変更手順を示すフローチャートである。
【図３】本発明の無線基地局装置および遠隔制御装置の構成例を示す図である。
【図４】無線基地局装置の増設例を示す図である。
【発明を実施するための形態】
【００２３】
図１は、本発明の無線通信システムの構成例を示す。
図１において、既存の無線基地局装置１１の既存の通信エリア１２内に既存の無線端末装置１３があり、両者が広帯域モードで無線通信しているとき、隣接する位置に新規の無線基地局装置２１を増設し、新規の通信エリア２２を拡大する状況を示す。既存の無線基地局装置１１には、有線回線または無線回線を介して遠隔制御装置３１が接続されている。新規の無線基地局装置２１を増設する際には、まず遠隔制御装置３１との接続を行う。遠隔制御装置３１は、無線基地局装置と無線端末装置の接続状況を管理し、隣接する通信エリア間で広帯域モードにおける干渉が予測されるときに、隣接する無線基地局装置に対して、互いに周波数帯域が重ならない狭帯域モードへの変更を指示する。
【００２４】
ここで、既存の無線端末装置１３は、既存の無線基地局装置１１の既存の通信エリア１２と新規の無線基地局装置２１の新規の通信エリア２２が重なる位置にある。すなわち、図４(c) に示す状況にあるものとする。このままでは、新規の無線基地局装置２１と新規の無線端末装置２３は、広帯域モードでの無線通信ができない。そこで、既存の無線基地局装置１１および新規の無線基地局装置２１は、遠隔制御装置３１の指示に応じて互いに周波数帯域が重ならない狭帯域モードへの変更を実施し、それぞれ配下の無線端末装置１３，２３との通信を行う。
【００２５】
図２は、本発明の無線通信システムにおけるモード変更手順を示す。
図２において、既存の無線基地局装置１１と既存の無線端末装置１３は、それぞれ無線基地局ＩＤおよび無線端末ＩＤをやりとりし、既存の無線基地局装置１１が無線基地局ＩＤおよび無線端末ＩＤを遠隔制御装置３１に通知する（Ｓ１）。遠隔制御装置３１は、既存の無線基地局装置１１からの通知情報をもとに、通信中の無線基地局ＩＤと無線端末ＩＤをデータベースで管理する（Ｓ２）。
【００２６】
既存の無線基地局装置１１と既存の無線端末装置１３が通信中のとき、図１に示すように、既存の無線基地局装置１１の通信エリア１２に隣接する位置に新規の無線基地局装置２１が増設されるとする。新規の無線基地局装置２１は、既存の無線基地局装置１１と既存の無線端末装置１３との間で使用している広帯域モードで、既存の無線端末装置１３が送信する信号を一定時間モニタする（Ｓ３）。新規の無線基地局装置２１は、既存の無線端末装置１３が送信する信号から無線端末ＩＤを検出すると（Ｓ４）、当該無線端末ＩＤを遠隔制御装置３１に通知する（Ｓ５）。
【００２７】
遠隔制御装置３１は、新規の無線基地局装置２１から既存の無線端末装置１３の無線端末ＩＤを受信すると、既存の無線基地局装置１１と新規の無線基地局装置２１が広帯域モードで互いに干渉となることを検出し（Ｓ６）、既存の無線基地局装置１１および新規の無線基地局装置２１に対して互いに周波数帯域が重ならない狭帯域モードへの変更を指示する（Ｓ７）。
【００２８】
既存の無線基地局装置１１は、広帯域モードから遠隔制御装置３１に指示された狭帯域モード（周波数帯域および中心周波数）に変更する（Ｓ８）。このとき、既存の無線基地局装置１１と既存の無線端末装置１３は、広帯域モードから狭帯域モードに変更するための制御信号をやりとりした後に、広帯域モードから狭帯域モードへの変更を同時に実施し、狭帯域モードによる通信を継続する。
【００２９】
新規の無線基地局装置２１は、遠隔制御装置３１に指示された狭帯域モード（周波数帯域および中心周波数）に設定する（Ｓ９）。ここで、新規の無線基地局装置２１が形成する通信エリア２２に新規の無線端末装置２３が現れた場合に、当該狭帯域モードで新規の無線基地局装置２１と新規の無線端末装置２３との通信が開始される。
【００３０】
このとき、隣接する通信エリアが使用する狭帯域モードの周波数帯域が異なるので、それぞれの通信が干渉になることはない。すなわち、既存の無線基地局装置１１と新規の無線基地局装置２１との間で周波数分割利用が行われたことになる。
【００３１】
図３は、本発明の無線通信システムの各装置の構成例を示す。
図３において、無線基地局装置１１（２１）は、送受信部４１、モード変更制御部４２、干渉モニタ部４３、遠隔制御装置通信部４４により構成される。送受信部４１は、無線端末装置１３（２３）との間で信号の送受信を行う。干渉モニタ部４３は、新規の無線基地局装置２１で機能し、通信中の無線端末装置が送信する信号をモニタし、無線端末ＩＤを検出する。図１および図２の例では、新規の無線基地局装置２１の干渉モニタ部４３において、既存の無線端末装置１３が送信する信号をモニタし、無線端末ＩＤを検出する。遠隔制御装置通信部４４は、干渉モニタ部４３が検出した無線端末ＩＤを遠隔制御装置３１に通知するとともに、遠隔制御装置３１から通知されたモード変更指示をモード変更制御部４２に出力する。モード変更制御部４２は、遠隔制御装置３１から通知されたモード変更指示に応じて、送受信部４１に対して広帯域モードから狭帯域モードへの変更を行う。新規の無線基地局装置２１のモード変更制御部４２の場合は、狭帯域モードの設定を行う。
【００３２】
無線端末装置１３（２３）は、送受信部５１、モード変更制御部５２、基地局探索部５３により構成される。送受信部５１は、無線基地局装置１１との間で信号の送受信を行う。モード変更制御部５２は、接続先の無線基地局装置からの指示に応じてモード変更処理を行う。基地局探索部５３は、モード変更により無線基地局装置を見失った場合に無線基地局装置の探索を行う。
【００３３】
遠隔制御装置３１は、無線基地局装置通信部６１、干渉判定部６２、モード変更制御部６３、管理ＤＢ６４により構成される。管理ＤＢ６４は、無線基地局装置と無線端末装置の接続関係を管理する。無線基地局装置通信部６１は、無線基地局装置から入力する無線端末ＩＤを干渉判定部６２に出力するとともに、モード変更制御部６３から出力されるモード変更指示を無線基地局装置に通知する。干渉判定部６２は、通知された無線端末ＩＤと管理ＤＢ６４のデータをもとに干渉の有無を判定する。図１および図２の例では、新規の無線基地局装置２１から既存の無線端末装置１３の無線端末ＩＤが通知された場合に干渉有りと判定する。モード変更制御部６３は、干渉有りと判定された場合に、広帯域モードから互いに周波数帯域が重ならない狭帯域モードに変更するモード変更指示を出力する。
【符号の説明】
【００３４】
１１  既存の無線基地局装置
１２  既存の通信エリア
１３  既存の無線端末装置
２１  新規の無線基地局装置
２２  新規の通信エリア
２３  新規の無線端末装置
３１  遠隔制御装置
４１  送受信部
４２  モード変更制御部
４３  干渉モニタ部
４４  遠隔制御装置通信部
５１  送受信部
５２  モード変更制御部
５３  基地局探索部
６１  無線基地局装置通信部
６２  干渉判定部
６３  モード変更制御部
６４  管理ＤＢ
【図１】
2014209688.tif 000003
【図２】
2014209688.tif 000004
【図３】
2014209688.tif 000005
【図４】
2014209688.tif 000006